(57)【要約】【課題】本発明の目的は、尿レシーバからの尿回収率を向上させ、小型かつ軽量化できる自動排尿処理装置およびそれに用いる尿レシーバを提供することにある。【解決手段】吸尿材３から尿を吸収する吸尿孔５ａが多数穿設されている多孔吸尿チューブ５を吸尿材３に当接配置した尿レシーバ１を装着者に装着する。多孔吸尿チューブ５に接続された導尿チューブ１１ａ、１１ｂを介して密閉されている尿タンクに真空ポンプにより尿を導くようにする。【選択図】  図２
2004267530.tif 000002
【特許請求の範囲】
【請求項１】
排泄される尿を吸収する吸尿材に当接配置され尿を吸入する多孔吸尿チューブが支持シートに配置されている尿レシーバと、密閉されている尿タンクと、前記多孔吸尿チューブから前記尿タンクに尿を導く導尿チューブと、前記尿タンク内の圧力を低下させる真空ポンプとを具備することを特徴とする自動排尿処理装置。
【請求項２】
排泄される尿を吸収する吸尿材に当接配置され、尿を吸入する多数の吸尿孔が穿設されている多孔吸尿チューブが支持シートに配置されている尿レシーバと、密閉されている尿タンクと、前記多孔吸尿チューブから前記尿タンクに尿を導く導尿チューブと、前記尿タンク内の空気を吸引する真空ポンプとを具備することを特徴とする自動排尿処理装置。
【請求項３】
排泄される尿を吸収する吸尿材に当接配置され、尿を吸入する多数の吸尿孔が穿設されている複数本の多孔吸尿チューブが支持シートに配置されている尿レシーバと、密閉されている尿タンクと、前記複数本の多孔吸尿チューブから前記尿タンクに尿を導く導尿チューブと、前記尿タンク内の圧力を低下させて前記複数本の多孔吸尿チューブから前記尿タンクに尿を吸引する真空ポンプと、前記吸尿材に尿が吸入したことを検知し前記真空ポンプを起動させるための尿センサとを具備することを特徴とする自動排尿処理装置。
【請求項４】
排泄される尿を吸収する吸尿材に当接配置され、尿を吸入する多数の吸尿孔が穿設されている複数本の多孔吸尿チューブが略矩形状の支持シートに配置されている尿レシーバと、蓋により密閉されている尿タンクと、前記複数本の多孔吸尿チューブから前記尿タンクに前記蓋を通して尿を導く導尿チューブと、前記尿タンク内の圧力を低下させ前記複数本の多孔吸尿チューブの吸尿孔を負圧にして前記尿タンクに尿を吸引する真空ポンプと、前記吸尿材に尿が吸入したことを検知し前記真空ポンプを起動させるための尿センサとを具備することを特徴とする自動排尿処理装置。
【請求項５】
排泄される尿を吸収する吸尿材に当接配置され、略矩形状の支持シートに長手方向に沿って並置されている尿を吸引する複数本の多孔吸尿チューブを有する尿レシーバと、蓋により密閉されている尿タンクと、前記複数本の多孔吸尿チューブから前記尿タンクに前記蓋を通して尿を導くジョイントにより接続されている導尿チューブと、前記尿タンク内の圧力を低下させて前記複数本の多孔吸尿チューブ内を負圧にして前記尿タンクに尿を吸引する真空ポンプと、前記吸尿材に尿が吸入したことを検知し前記真空ポンプを起動させるための尿センサとを具備することを特徴とする自動排尿処理装置。
【請求項６】
下層の吸水率が高くなるように吸水率の異なる複数の吸尿材を積層した吸尿材の下層に当接配置され、尿を吸入する多数の吸尿孔が穿設されている複数本の多孔吸尿チューブが支持シートに配置されている尿レシーバと、蓋により密閉されている尿タンクと、前記複数本の多孔吸尿チューブから前記尿タンクに前記蓋を通して尿を導く導尿チューブと、前記尿タンク内の圧力を低下させ前記複数本の多孔吸尿チューブの吸尿孔を負圧にして前記尿タンクに尿を吸引する真空ポンプと、前記吸尿材に尿が吸入したことを検知し前記真空ポンプを起動させるための尿センサとを具備することを特徴とする自動排尿処理装置。
【請求項７】
装着者の排尿部から排泄される尿を吸収する尿レシーバと、密閉されている尿タンクと、前記尿レシーバから前記尿タンクに尿を導く導尿チューブと、前記尿タンク内の圧力を低下させる真空ポンプと、前記尿レシーバに尿が吸入したことを検知し前記真空ポンプを起動させるための尿センサとを具備し、前記尿レシーバは、略矩形状の支持シートと、前記支持シートに取付けられ、前記導尿チューブに接続される多孔吸尿チューブと、前記多孔吸尿チューブに当接配置される吸尿材と、裏面に前記吸尿材が取付られている表面シートを有することを特徴とする自動排尿処理装置。
【請求項８】
装着者の排尿部から排泄される尿を吸収する尿レシーバと、蓋により密閉されている尿タンクと、前記尿レシーバから前記尿タンクに尿を前記蓋を通して導く導尿チューブと、前記尿タンク内の空気を吸引する真空ポンプと、前記吸尿材に尿が吸入したことを検知し前記真空ポンプを起動させるための尿センサとを具備し、前記尿レシーバは、略矩形状の支持シートと、前記支持シートに接着支持されて前記導尿チューブに接続され、前記真空ポンプの作動によって尿を吸入する多数の吸尿孔が穿設されている複数本の多孔吸尿チューブと、前記多孔吸尿チューブに当接配置される吸尿材と、裏面に前記吸尿材が取付られている表面シートを有することを特徴とする自動排尿処理装置。
【請求項９】
装着者の排尿部から排泄される尿を吸収する尿レシーバであって、尿を吸収する吸尿材と、前記吸尿材の表面を覆うように配置されている表面シートと、前記吸尿材に当接配置され尿を吸入する多孔吸尿チューブと、前記多孔吸尿チューブを支持する支持シートを具備することを特徴とする尿レシーバ。
【請求項１０】
装着者の排尿部から排泄される尿を吸収する尿レシーバであって、尿を吸収する吸尿材と、前記吸尿材の表面を覆うように配置されている表面シートと、前記吸尿材に当接配置され、尿を吸入する多数の吸尿孔が穿設されている多孔吸尿チューブと、前記多孔吸尿チューブを支持する支持シートを具備することを特徴とする尿レシーバ。
【請求項１１】
装着者の排尿部から排泄される尿を吸収する尿レシーバであって、尿を吸収する吸尿材と、前記吸尿材の表面を覆うように配置されている表面シートと、前記吸尿材に当接配置され、尿を吸入する多数の吸尿孔が穿設されている複数本の多孔吸尿チューブと、前記複数本の多孔吸尿チューブを支持する略矩形状の支持シートを具備することを特徴とする尿レシーバ。
【請求項１２】
装着者の排尿部から排泄される尿を吸収する尿レシーバであって、尿を吸収する吸尿材と、前記吸尿材の表面を覆うように配置されている表面シートと、前記吸尿材に当接配置され、尿を吸入する多数の吸尿孔が穿設されている複数本の多孔吸尿チューブと、前記複数本の多孔吸尿チューブを支持する略矩形状で非通水性の支持シートと、前記支持シートの縁部輪郭に沿って植立して設けられているギャザーとを具備することを特徴とする尿レシーバ。
【請求項１３】
装着者の排尿部から排泄される尿を吸収する尿レシーバであって、  下層の吸水率が高くなるように吸水率の異なる複数の吸尿材を積層して形成された吸尿材と、前記吸尿材を裏面に接着配置されている表面シートと、前記吸尿材の下層に当接配置され、尿を吸入する多数の吸尿孔が穿設されている複数本の多孔吸尿円筒チューブと、前記複数本の多孔吸尿円筒チューブを支持する略矩形状で非通水性の支持シートと、前記支持シートの縁部輪郭に沿って植立して設けられているギャザーとを具備することを特徴とする尿レシーバ。
【発明の詳細な説明】
【０００１】
【発明の属する技術分野】
本発明は、寝たきり老人、入院患者、身障者、その他の自分の意志で排尿をコントロールしたり始末するのが困難な人に装着して排尿を処理する自動排尿処理装置およびそれに用いる尿レシーバに関する。
【０００２】
【従来の技術】
【特許文献１】特開平７−１７１１８２号公報
【特許文献２】特開平１１−１１３９４６号公報
人間は、老化、身体障害、怪我や病気での入院、その他様々な身体の状態によって、自分の意志で排尿をコントロールすることが困難になったり、また尿を自力での後始末が困難になることがある。このようになると、一般的には膀胱に管を直接挿入して採尿したり、紙おむつを使用するようにしている。
【０００３】
膀胱に直接管を挿入する場合には、使用者の不快感も大きく、また尿道や膀胱を傷つけたり感染症を引き起こす可能性が高いなど、専門的な知識と滅菌された専用の器具が無いと処理が困難になる。
【０００４】
また、紙おむつは、長時間装着すると尿漏れが起こったり、また装着者の不快感や、蒸れ、被れなどの皮膚疾患を生じることがある。そのため、頻繁な取替えが必要となり、装着者及び介護者の精神的、肉体的負担も多くなる。精神的、肉体的負担は日常生活の中でも非常に大きな割合を占め、その上、経済的な負担も大きくなる。
【０００５】
このような問題を解決するために、尿レシーバ本体に収納された吸水性厚肉シートの吸尿材に吸収された尿を真空ポンプによって吸引し尿タンクに導尿するようにしている。真空ポンプは密閉された尿タンク内の空気を吸引して大気圧との差圧により導尿チューブによって吸尿材に吸収された尿を尿タンクに尿導する。このような自動排尿処理装置は、例えば、上述の特許文献１、２に記載されている。
【０００６】
【発明が解決しようとする課題】
従来技術は吸尿材の一個所から尿を吸引するようにしているので、尿レシーバ（吸尿材）からの尿回収効率が低下する。このため、尿レシーバ（吸尿材）の残尿量が多くなり装着者に不快感を与えることになる。尿レシーバの残尿量を少なくするには真空ポンプの容量を大きくしなければならず、排尿処理装置自体の重量、容積が大きくならざるを得なくなる。
【０００７】
このように、従来技術は尿レシーバの残尿量が多くなり、残尿量を低減しようとすると排尿処理装置が大型かつ重くなるという問題点を有する。
【０００８】
本発明の目的は、尿レシーバからの尿回収率を向上させ、小型かつ軽量化できる自動排尿処理装置およびそれに用いる尿レシーバを提供することにある。
【０００９】
【課題を解決するための手段】
本発明の特徴とするところは、吸尿材から尿を吸収する吸尿孔が多数穿設されている多孔吸尿チューブを吸尿材に当接配置した尿レシーバを用い、多孔吸尿チューブに接続された導尿チューブを介して密閉されている尿タンクに真空ポンプにより尿を導くようにしたことにある。
【００１０】
換言すると、本発明は多孔吸尿チューブに穿設されている多数の吸尿孔を負圧にして吸尿材から尿を吸引し、導尿チューブを介して尿タンクに尿を導くものである。
【００１１】
本発明に用いる尿レシーバは多孔吸尿チューブに設けた多数の吸尿孔により吸尿材から尿を吸引しているので、尿レシーバからの尿回収率が向上し尿レシーバの残尿量を低減できる。尿の回収率が向上すると吸引力の小さい小容量の真空ポンプで吸尿材から吸尿できる。したがって、尿レシーバが装着者に不快感を与えることなく尿を回収でき、装置を小型かつ軽量化することができる。
【００１２】
【発明の実施の形態】
本発明の一実施例を図１〜４に示す。図１は本発明の自動排尿処理装置の全体構成図を示し、図２は尿レシーバの詳細構成図、図３は尿レシーバの外観斜視図、図４は図３のＡ−Ａ拡大断面図を示している。
【００１３】
図１〜４において、図示しない装着者の排尿部から排泄される尿を吸収する尿レシーバ１は略矩形状で長手方向の中央部が幅が狭くなり絞られた形状に形成され、表面シート２、吸尿材３、支持シート４、多孔吸尿チューブ５およびギャザー６により構成されている。表面シート２は通水性の不織布、収尿材３はメラミンホーム、支持シート４とギャザー５は非通水性の不織布のような軟質可暁性材で形成され、また、多孔吸尿チューブ５は軟質樹脂のような軟質可暁性材で形成される。
【００１４】
尿レシーバ１を構成する支持シート４は図２に示すように略矩形状で、長手方向の中央部が幅が狭くなり絞られた形状に形成されている。長手方向の中央部が絞られた形状にしているのは装着者の股間にフィットするようにするためである。支持シート４は不織布にビニールを付着した非通水性の薄肉シートで、長さが２００〜３００ｍｍ程度で、幅が５０〜１００ｍｍ程度である。なお、支持シート４は長時間装着した時の蒸れ等に考慮した材質の部材を用いるのが望ましい。
【００１５】
支持シート４は幅方向の断面が図４に示すように擂り鉢状（逆台形状）に形成され、略矩形状の外形輪郭の内側に植立して構成されるギャザー６が形成されている。植立した立体ギャザー６は装着者の動作や体位移動などによる横漏れを防止する。
【００１６】
支持シート４の外面（表面）はポリプロピレン不織布などの表面材（図示せず）がラミネートされ、柔らかな肌触りにして装着者の肌触りの不快感をなくすようにしている。また、支持シート４の内面は撥水性を有するように表面処理が施されている。
【００１７】
支持シート４の内面には長手方向に所定間隔をおいて一対の支持テープ９ａ、９ｂと一対の支持テープ１０ａ、１０ｂが設けられている。支持テープ９ａ、９ｂには表面シート２が装着され、支持テープ１０ａ、１０ｂには多孔吸尿チューブ５の取付板７が装着される。支持テープ９ａ、９ｂ、１０ａ、１０ｂは面ファスナーや粘着テープなどが用いられる。
【００１８】
３本の多孔吸尿チューブ５は図５に示すように一端を共通に接続されて長方形状の取付板７に接着され、他端は各チューブ５毎に取付板７に接着されている。３本の多孔吸尿チューブ５は取付板７に並置して接着されている。多孔吸尿チューブ５には図６に示すように多数の円形状の吸尿孔５ａが穿設されている。吸尿孔５ａは多孔吸尿チューブ５の周方向の上半分に穿設されている。
【００１９】
長方形状の取付板７は軟質材で形成され、長方形状の角穴７ａが穿設されている。長方形状の取付板７の底面には支持シート４の支持テープ１０ａ、１０ｂに接着する一対の固定テープ１２ａ、１２ｂが設けられている。
【００２０】
支持シート４の支持テープ１０ａ、１０ｂに取付板７の固定テープ１２ａ、１２ｂを接着して多孔吸尿チューブ５を支持シート４に装着した後に、支持シート４の支持テープ９ａ、９ｂに表面シート２を装着すると図３に示すようになる。
【００２１】
３本の多孔吸尿チューブ５は擂り鉢状の支持シート４に保持され、図６に示すように多数の吸尿孔５ａが穿設されている周方向の上半分が吸尿材３に当接した状態になる。すなわち、吸尿材３から尿を吸収する多数の導尿孔５ａが吸尿材３に当接配置された状態になる。なお、図４においては尿センサ１４の図示を省略している。
【００２２】
吸尿材３は表面シート２の裏面に接着して配置されている。表面シート２は吸尿材３の表面を覆うように配置されている。吸尿材３は厚みが５ｍｍ程度で、約５００ｍｌの尿を蓄積できるように構成されている。成人の平均的な一回分の排尿量では３００ｍｌ程度の蓄積量があればよいが、装着者が座位の時に人体と座面との間に尿レシーバ１が当たった時の尿レシーバ１に加わる圧力や、股関節を閉じた時に尿レシーバ１が挟まれることによって生じる圧力等によって、尿レシーバ１の蓄尿率低下等を考慮し余裕を持たせた蓄尿量にしている。
【００２３】
３本の多孔吸尿チューブ５の共通接続部は導尿チューブ１１ａの一端に接続されている。導尿チューブ１１ｂの一端にワンタッチジョイント１３が取付けられており、ジョイント１３によって導尿チューブ１１ａの他端と導尿チューブ１１ｂの一端が接続される。導尿チューブ１１ａ、１１ｂは軟質可暁性材で形成され、ワンタッチジョイント１３は軟質材で形成される。
【００２４】
尿タンク２１は蓋２２により密閉されている。導尿チューブ１１ｂの他端は尿タンク２１の蓋２２を貫通して尿タンク２１の気相部２１ａに位置するように配置されている。また、真空ポンプ２３に一端を接続された吸引チューブ１１ｃの他端も尿タンク２１の蓋２２を貫通して尿タンク２１の気相部２１ａに位置するように配置されている。導尿チューブ１１ｃも導尿チューブ１１ａ、１１ｂと同様に軟質可暁性材で形成されている。
【００２５】
尿タンク２１の容量は、２回分の排尿を蓄えられる５００ｍｌ程度であるが、２００ｍｌ、あるいは夜間などの長時間用として１０００ｍｌにすることもできる。
【００２６】
真空ポンプ２３はモータ２４によって駆動される。モータ２４はバッテリ２５を駆動電源とし、制御基板２６に搭載された制御装置により制御される。真空ポンプ２３の体格は径が３０ｍｍ×７０ｍｍ程で小さく、また、バッテリ２５の電圧は６Ｖ程度である。
【００２７】
吸尿材３に尿が吸尿されたことを検知する尿センサ１４は図５に示すように導尿チューブ１１ａに沿って配置され取付板７に支持されている。尿センサ１４は電気導体で、抵抗値の変化により装着者の排尿を検知する。尿センサ１４で検知した尿検知信号は真空ポンプ２３を制御する制御基板２６に加えられる。
【００２８】
この構成において、尿レシーバ１は図７に示すように装着者（使用者）３０の排尿部３０ａと排便部３０ｂを表面シート２で覆うようにして装着される。尿タンク２１、真空ポンプ２３、モータ２４などは装着者３０が携帯したり、装着者３０がベッドに寝ている場合にはベッドの上や下に載置される。
【００２９】
この状態で装着者３０が排尿すると、尿レシーバ１に排尿された尿は表面シート（不織布）２を通って吸尿材３に吸尿される。吸尿材３は一時的に尿を溜めるバッファの役割を果たしている。吸尿材３に吸収された尿が尿センサ１４の位置に達すると、尿センサ１４が電気的に導通し尿検知信号を制御基板２６に加える。制御基板２６に搭載されている制御装置はモータ２４を起動させ真空ポンプ２３を駆動する。
【００３０】
真空ポンプ２３の駆動により尿タンク２１内の空気が排気されると、３本の多孔吸尿チューブ５内の空気圧が低下し多数の吸尿孔５ａに負圧が生じる。多孔吸尿チューブ５の各吸尿孔５ａが負圧になると、吸尿材３に吸収されている尿が多数の吸尿孔５ａから多孔吸尿チューブ５内に吸引される。
【００３１】
多孔吸尿チューブ５内に吸引された尿は負圧によって導尿チューブ１１ａ，１１ｂを介して尿タンク２１に導かれ蓄えられる。尿タンク２１に蓄えられた尿はワンタッチジョイント１３により導尿チューブ１１ａと１１ｂの接続を外し尿タンク２１を運んで廃棄する。
【００３２】
なお、尿レシーバ１の表面シート２（吸尿材３を含む）は、装着者３０が約１日使用した後に新しい表面シート２と交換し、交換した古い表面シート２を廃棄する。支持シート４と多孔吸尿チューブ５は再利用される。
【００３３】
また、装着者３０が排便部３０ｂから排便した場合にも表面シート２（吸尿材３を含む）を交換して、支持シート４と多孔吸尿チューブ５は再利用される。
【００３４】
このようにして装着者３０の排尿を処理するのであるが、本発明の尿レシーバ１は多孔吸尿チューブ５に穿設した多数の吸尿孔５ａから吸尿材３に吸収されている尿を吸引し、導尿チューブ１１ａ、１１ｂを介して密閉されている尿タンク２１に真空ポンプ２３により尿を導くようにしている。このため、真空ポンプ２３の吸引力が小さくても尿回収率を高くすることができ。
【００３５】
このように、本発明に用いる尿レシーバは多孔吸尿チューブに穿設した多数の吸尿孔から吸尿材に吸収されている尿を吸引するようにしているので、吸尿材からの尿の回収率が向上し尿レシーバの残尿量を低減できる。尿の回収率が向上すると吸引力の小さい小容量の真空ポンプで吸尿材から吸尿できることになる。したがって、尿レシーバが装着者に不快感を与えることなく尿を回収でき、装置を小型かつ軽量化することができる。
【００３６】
また、装置を小型かつ軽量化することができるので、特に携帯用の自動排尿処理装置として用いると顕著な効果を奏し得る。さらに、装置を小型かつ軽量化し、真空ポンプで余分な空気を吸引しないので騒音を小さくできるので夜間に病室で利用しても他人に迷惑をかけることなく尿処理を行える。
【００３７】
図８に多孔吸尿チューブの他の例を示す。
【００３８】
図８の多孔吸尿チューブ５が図５に示す多孔吸尿チューブと異なるところは取付板７を取付板７Ａ、７Ｂのように２枚に分割し、多孔吸尿チューブ５の長手方向中央部の幅を狭く絞られた形状に形成していることである。
【００３９】
使用者の排尿部の近くは尿を確実に吸収するために吸尿材３の面積を大きくする必要がある。股下の部分の幅を広くすると脚部に接触し使用者に違和感を生じさせることになる。そのため，股下の位置になる多孔チューブ５を長手方向中央部を絞り幅を狭くして使用者に違和感を生じさせないようにしている。
【００４０】
なお、図８は多孔吸尿チューブ５が５本の例を示している。
【００４１】
図９に多孔吸尿チューブ５の他の例を示す。
【００４２】
上述の実施例の多孔吸尿チューブ５は周方向の上半分に吸尿孔５ａを穿設しているが、図９の多孔吸尿チューブ５は周方向の全周に吸尿孔５ａを穿設したものである。
【００４３】
多孔吸尿チューブ５は周方向の全周に吸尿孔５ａを穿設しており、吸尿材３に吸収されている尿が支持シート４の内面に漏れても多孔吸尿チューブ５内に尿を吸引でき、尿回収率を良くすることができる。
【００４４】
図１０に吸尿材の他の例を示す。
【００４５】
図１０に示す吸尿材３が上述の実施例における吸尿材と異なるところは、吸尿材３を３層３ａ、３ｂ、３ｃに積層して形成し、上位層の吸尿材３ａと表面シート２の間に通水性シート１６を配置したことである。
【００４６】
吸尿材３ａ，３ｂ，３ｃは吸水性（保水能力）に差をもたせ、吸水性を３ａ＜３ｂ＜３ｃのように下層になるのに伴い高くしている。吸尿材３ａ，３ｂ，３ｃの吸水性の差は，例えば空隙を持った繊維状骨格材料の密度や濡れ性を異ならせることで実現できる。
【００４７】
吸尿材３ａ，３ｂ，３ｃの吸水性をこのように異ならせることにより吸水性の高い下層の吸尿材３ｃに尿が集まり易くなる。尿は多孔吸尿チューブ５が当接する下層の吸尿材３ｃに集まるため多孔吸尿チューブ５による吸尿を効果的に行うことができる。
【００４８】
また、吸尿材３と表面シート２の間に通水性シート１６を設け吸尿材３（３ａ）を使用者の肌面から離しているので，吸尿材３ａに含まれた尿が使用者の肌面に戻り不快感を与えるのを防ぐことができる。
【００４９】
なお、吸尿材３ａ，３ｂを縦方向（厚み方向）に繊維を持つ素材で形成することにより横方向に尿を漏らすことなく吸尿材３ｃに尿を集めるようにすることもできる。
【００５０】
以上のように、本発明は尿レシーバの収尿材からの尿回収率を向上させ尿レシーバの残尿量を低減できる。尿の回収率が向上すると吸引力の小さい小容量の真空ポンプで収尿材から吸尿できることになる。したがって、尿レシーバが装着者に不快感を与えることなく尿を回収でき、装置を小型かつ軽量化することができる。
【００５１】
また、装置を小型かつ軽量化することができるので、特に携帯用の自動排尿処理装置として用いると顕著な効果を奏し得る。さらに、装置を小型かつ軽量化し、真空ポンプで余分な空気を吸引しないので騒音を小さくできるので夜間に病室で利用しても他人に迷惑をかけることなく尿処理を行える。
【００５２】
なお、上述の実施例は多孔吸尿チューブが３本と５本の例を示しているが、１本あるいはより多くの多孔吸尿チューブを用いてもよいことは勿論のことである。
【００５３】
また、多孔吸尿チューブに穿設する吸尿孔は円形でなく他の形状でも同様な効果が得られることは明らかなことである。
【００５４】
【発明の効果】
本発明は尿レシーバからの尿回収率を向上させ尿レシーバの残尿量を低減できるので、小容量の真空ポンプにより吸尿でき尿レシーバが装着者に不快感を与えることなく尿を回収でき、装置を小型かつ軽量化することができる。
【００５５】
また、装置を小型かつ軽量化することができるので、特に携帯用の自動排尿処理装置として用いると顕著な効果を奏し得る。さらに、装置を小型かつ軽量化し、真空ポンプで余分な空気を吸引しないので騒音を小さくできるので夜間に病室で利用しても他人に迷惑をかけることなく尿処理を行える。
【図面の簡単な説明】
【図１】本発明の一実施例を示す全体構成図である。
【図２】尿レシーバの一例詳細構成図である。
【図３】尿レシーバの外観斜視図である。
【図４】図３のＡ−Ａ断面図である。
【図５】多孔吸尿チューブの一例詳細構成図である。
【図６】多孔吸尿チューブの一部破断した拡大図である。
【図７】尿レシーバの装着状態を示す図である。
【図８】多孔吸尿チューブの他の例を示す詳細構成図である。
【図９】多孔吸尿チューブの他の例を示す一部破断した拡大図である。
【図１０】吸尿材の他の例を示す断面図である。
【符号の説明】
１…尿レシーバ、２…表面シート、３…吸尿材、４…支持シート、５…多孔吸尿チューブ、５ａ…吸尿孔、６…ギャザー、７…取付板、９、１０…支持テープ、１１ａ、１１ｂ…導尿チューブ、１１ｃ…吸引チューブ１１、１３…ワンタッチジョイント、１４…尿センサ、２１…尿タンク、２２…尿タンク蓋、２３…真空ポンプ、２４…モータ、２５…バッテリ、２６…制御基板。
【図１】
2004267530.tif 000003
【図２】
2004267530.tif 000004
【図３】
2004267530.tif 000005
【図４】
2004267530.tif 000006
【図５】
2004267530.tif 000007
【図６】
2004267530.tif 000008
【図７】
2004267530.tif 000009
【図８】
2004267530.tif 000010
【図９】
2004267530.tif 000011
【図１０】
2004267530.tif 000012